(57)【特許請求の範囲】
【請求項１】
入力電圧が供給される第一のスイッチング素子と、
負荷機器の入力端子と装脱着可能な出力端子と、
前記第一のスイッチング素子によりスイッチングされた前記入力電圧を出力電圧に変換し、前記出力端子に出力する入出力変換回路と、
前記第一のスイッチング素子のスイッチング動作を制御し、ＯＦＦ端子に入力される信号に応じてスイッチング動作を停止するオフモードを有するスイッチング制御回路とを備えるスイッチング電源装置において、
前記入出力変換回路と前記出力端子との間に接続された第一の整流回路と、
前記出力端子に接続された第二の整流回路と、
前記第二の整流回路に二次巻線のドット側端子が接続されたフライバック型トランスと、
前記フライバック型トランスの一次巻線のドット側端子に接続された第二のスイッチング素子と、
前記第二のスイッチング素子のゲート端子にパルス信号を供給するパルス発生器と、
前記フライバック型トランスの一次巻線のドット側端子と前記第二のスイッチング素子との接続点である第一の接続点に接続され、前記第一の接続点の電圧を検出し、検出信号を前記ＯＦＦ端子に出力する波形検出回路と、
前記出力端子と前記第二の整流回路との接続点に接続され、前記第二のスイッチング素子の一回のスイッチングにより前記フライバック型トランスの二次巻線から出力されるエネルギーを蓄積する容量素子とを有し、
前記波形検出回路は、前記第一の接続点の電圧値とあらかじめ設定された基準値とを比較し、放電回路が接続された前記入力端子と、前記出力端子とが非接続状態となったことを検出すると前記オフモードに移行するように前記検出信号を出力することを特徴とする、スイッチング電源装置。
【請求項２】
前記出力端子は、前記出力電圧の基準となるＧＮＤ電圧を出力するＧＮＤ端子を有し、
前記フライバック型トランスの二次巻線の非ドット側端子が、前記ＧＮＤ端子に接続されている、請求項１に記載のスイッチング電源装置。
【請求項３】
前記フライバック型トランスの二次巻線の非ドット側端子が、前記入出力変換回路と前記第一の整流回路との接続点に接続されている、請求項１に記載のスイッチング電源装置。
【請求項４】
前記放電回路は、前記負荷機器が前記入力端子近傍に有する電源アダプタ接続検出用抵抗である、請求項１から３のいずれか１項に記載のスイッチング電源装置。
【請求項５】
前記負荷機器は、前記入力端子と前記放電回路との間に接続回路を有し、
前記負荷機器で生成されるスイッチング電源装置オフ信号により、前記接続回路が前記入力端子と前記放電回路とを切断すると前記オフモードとなる、請求項１から４のいずれか１項に記載のスイッチング電源装置。
【請求項６】
入力電圧が供給される第一のスイッチング素子と、
負荷機器の入力端子と装脱着可能な出力端子と、
前記第一のスイッチング素子によりスイッチングされた前記入力電圧を出力電圧に変換し、前記出力端子に出力する入出力変換回路と、
前記第一のスイッチング素子のスイッチング動作を制御し、ＯＦＦ端子に入力される信号に応じてスイッチング動作を停止するオフモードを有するスイッチング制御回路とを備えるスイッチング電源装置において、
前記入出力変換回路と前記出力端子との間に接続された第一の整流回路と、
前記出力端子に二次巻線のドット側端子が接続されたフォワード型トランスと、
前記フォワード型トランスの一次巻線の非ドット側端子に接続された抵抗素子と、
前記抵抗素子に接続された第二のスイッチング素子と、
前記第二のスイッチング素子のゲート端子にパルス信号を供給するパルス発生器と、
前記フォワード型トランスの一次巻線の非ドット側端子と前記抵抗素子との接続点である第一の接続点に接続され、前記第一の接続点の電圧を検出し、検出信号を前記ＯＦＦ端子に出力する波形検出回路とを有し、
前記波形検出回路は、前記第一の接続点の電圧値とあらかじめ設定された基準値とを比較し、容量性インピーダンス素子が接続された前記入力端子と、前記出力端子とが非接続状態となったことを検出すると前記オフモードに移行するように前記検出信号を出力することを特徴とする、スイッチング電源装置。
【請求項７】
前記フォワード型トランスの二次巻線の非ドット側端子が、前記入出力変換回路と前記第一の整流回路との接続点に接続されている、請求項６に記載のスイッチング電源装置。
【請求項８】
前記出力端子と前記フォワード型トランスの二次巻線のドット側端子の間に整流機能を有する伝達回路を有し、
前記出力端子は、前記出力電圧の基準となるＧＮＤ電圧を出力するＧＮＤ端子を有し、
前記フォワード型トランスの二次巻線の非ドット側端子が、前記ＧＮＤ端子に接続されている、請求項６記載のスイッチング電源装置。
【請求項９】
前記伝達回路は容量である、請求項８に記載のスイッチング電源装置。
【請求項１０】
前記容量性インピーダンス素子は前記負荷機器が前記入力端子近傍に有するノイズ対策用容量素子である、請求項６から８のいずれか１項に記載のスイッチング電源装置。
【請求項１１】
前記負荷機器は、前記入力端子と前記容量性インピーダンス素子との間に接続回路を有し、
前記負荷機器で生成されるスイッチング電源装置オフ信号により、
前記接続回路が前記入力端子と前記容量性インピーダンス素子とを切断すると、前記オフモードとなる、請求項６から８のいずれか１項に記載のスイッチング電源装置。
【発明の詳細な説明】
【技術分野】
【０００１】
本開示は、入力電圧に対してスイッチング素子のスイッチング動作を制御することにより出力電圧を制御するスイッチング電源装置に関するものである。
【背景技術】
【０００２】
近年、エネルギー問題が注目され、スイッチング電源装置等の電源供給装置の待機電力削減が強く望まれている。例えば、ＡＣアダプタにおいて、負荷機器が接続されていない状態や負荷機器の動作が停止している状態等、スイッチング電源装置から電力供給が不要な場合に出力電圧を低下させて、消費電力を削減するシステムが提案されている。【０００３】
特許文献１においては、スイッチング回路がメインスイッチにスイッチング動作をさせた時に、メインスイッチに接続されているトランス（メイントランス）を介して二次側回路に供給されるエネルギーによってＡＣアダプタの出力電圧に重畳されるリップル電圧の大きさを検出している。そして、ＡＣアダプタが携帯式コンピュータに接続状態であるか、非接続状態であるかを検出し、出力電圧を低下させる、またはスイッチング周期を長くすることで消費電力を削減する。
【先行技術文献】
【特許文献】
【０００４】
【特許文献１】特開２０１２―１７８９３４号公報
【発明の概要】
【０００５】
本開示に係るスイッチング電源装置は、入力電圧が供給される第一のスイッチング素子と、負荷機器の入力端子と装脱着可能な出力端子と、第一のスイッチング素子によりスイッチングされた入力電圧を出力電圧に変換し、出力端子に出力する入出力変換回路とを備えている。さらに、第一のスイッチング素子のスイッチング動作を制御し、ＯＦＦ端子に入力される信号に応じてスイッチング動作を停止するオフモードを有するスイッチング制御回路とを備えている。また、入出力変換回路と出力端子との間に接続された第一の整流回路と、出力端子に接続された第二の整流回路と、第二の整流回路に二次巻線のドット側端子が接続されたフライバック型トランスと、フライバック型トランスの一次巻線のドット側端子に接続された第二のスイッチング素子と、第二のスイッチング素子のゲート端子にパルス信号を供給するパルス発生器と、フライバック型トランスの一次巻線のドット側端子と第二のスイッチング素子との接続点である第一の接続点に接続され、第一の接続点の電圧、または電流を検出し、検出信号をＯＦＦ端子に出力する波形検出回路と、出力端子と第二の整流回路との接続点に接続され、第二のスイッチング素子の一回のスイッチングによりフライバック型トランスの二次巻線から出力されるエネルギーを蓄積する容量素子とを有し、出力端子への、入力端子に放電回路が接続された負荷機器の入力端子の装脱着による、第一の接続点の電圧値差、または電流値差を波形検出回路が検出できるように容量素子の容量値が設定されている。
【０００６】
本開示によれば、スイッチング電源装置と負荷機器の接続状態を確実に検出することができ、非接続状態の場合はスイッチング電源装置のスイッチング動作を停止させることで消費電力を削減することができる。
【図面の簡単な説明】
【０００７】
【図１】図１は、実施の形態１に係るスイッチング電源装置の一構成例を示す回路図である。
【図２】図２は、実施の形態１に係るトランスの一構成例を示す回路図である。
【図３】図３は、実施の形態１に係る波形検出回路の一構成例を示す回路図である。
【図４】図４は、実施の形態１に係るパルス発生器の一構成例を示す回路図である。
【図５Ａ】図５Ａは、実施の形態１に係る負荷機器の一構成例を示す回路図である。
【図５Ｂ】図５Ｂは、実施の形態１に係る放電回路の一構成例を示す回路図である。
【図５Ｃ】図５Ｃは、実施の形態１に係る放電回路の一構成例を示す回路図である。
【図５Ｄ】図５Ｄは、実施の形態１に係る放電回路の一構成例を示す回路図である。
【図５Ｅ】図５Ｅは、実施の形態１に係る放電回路の一構成例を示す回路図である。
【図５Ｆ】図５Ｆは、実施の形態１に係る放電回路の一構成例を示す回路図である。
【図６】図６は、実施の形態１に係るスイッチング電源装置の動作を示すタイミングチャートである。
【図７】図７は、実施の形態１の変形例１に係るスイッチング電源装置の一構成例を示す回路図である。
【図８】図８は、実施の形態１の変形例１に係るスイッチング電源装置の動作を示すタイミングチャートである。
【図９】図９は、実施の形態１の変形例２に係る負荷機器の一構成例を示す回路図である。
【図１０】図１０は、実施の形態１の変形例２に係る接続回路の一構成例を示す回路図である。
【図１１】図１１は、実施の形態２に係るスイッチング電源装置の一構成例を示す回路図である。
【図１２】図１２は、実施の形態２に係るトランスの一構成例を示す回路図である。
【図１３】図１３は、実施の形態２に係る波形検出回路の一構成例を示す回路図である。
【図１４】図１４は、実施の形態２に係る負荷機器の一構成例を示す回路図である。
【図１５】図１５は、実施の形態２に係るスイッチング電源装置の動作を示すタイミングチャートである。
【図１６】図１６は、実施の形態２の変形例１に係るスイッチング電源装置の一構成例を示す回路図である。
【図１７Ａ】図１７Ａは、実施の形態２の変形例１に係る伝達回路の一構成例を示す回路図である。
【図１７Ｂ】図１７Ｂは、実施の形態２の変形例１に係る伝達回路の一構成例を示す回路図である。
【図１８】図１８は、実施の形態２の変形例１に係るスイッチング電源装置の一構成例を示す回路図である。
【図１９】図１９は、実施の形態２の変形例２に係る負荷機器の一構成例を示す回路図である。
【図２０】図２０は、実施の形態２の変形例２に係る接続回路の一構成例を示す回路図である。
【発明を実施するための形態】
【０００８】
特許文献１では、ＡＣアダプタが携帯式コンピュータと非接続状態であるときにメインスイッチの発振を止めることができないので、消費電力をさらに削減するには限界があった。
【０００９】
また、本発明者らが考案したシステムにおいては、スイッチング電源装置に設けられたメイントランスとは別に設けられた検出トランスを介してスイッチング電源装置の出力側にエネルギーを送り、このエネルギーがスイッチング電源装置に接続される負荷機器の入力側に設けられた容量に蓄積されるか否かを利用する。そして、スイッチング電源装置が負荷機器に接続状態であるか、非接続状態であるかを検出して、スイッチング電源装置のスイッチング動作を停止させて消費電力を削減する。このシステムにおいて、スイッチング電源装置に備えられた検出トランスがフライバック型の場合は、トランスの一次巻線に発生する反射電圧の大小で接続状態であるか、非接続状態であるかを検出する。非接続状態の時は、トランスを介して送られるエネルギーが負荷機器に備えられた容量に充電されないので反射電圧が大きくなる。また接続状態の時は、トランスを介して送られるエネルギーが負荷機器に備えられた容量に充電されるため、反射電圧が小さくなる。この反射電圧の差を検出してスイッチング電源装置が負荷機器に接続状態であるか、非接続状態であるかを検出する。また、負荷機器に備えられたトランスがフォワード型の場合は、トランスの巻線に流れる電流の差を利用して、接続状態であるか、非接続状態であるかを検出する。非接続状態の時は、トランスを介して送られるエネルギーを充電する負荷機器に備えられた容量がないため、トランスの巻線を流れる電流は小さくなる。接続状態の時は、トランスを介して送られるエネルギーが負荷機器に備えられた容量に充電されるため、トランスの巻線を流れる電流が大きくなる。このトランスを流れる電流の差を検出してスイッチング電源装置が負荷機器に接続状態であるか、非接続状態であるかを検出する。
【００１０】
しかしながら、本発明者が考案した上記の検出トランスを用いたシステムにおいては、負荷機器の容量値が小さい（たとえば数千ｐＦ程度）と、フライバック型の場合は反射電圧の差を検出するのが困難であり、フォワード型の場合はトランスの巻線に流れる電流の差を検出するのが困難であるため、スイッチング電源装置と負荷機器が接続状態であることが検出できず誤動作が起きる可能性があった。
【００１１】
本開示は、上記のような課題を解決するものであり、スイッチング電源装置と負荷機器が非接続状態の時にはスイッチング電源装置のスイッチング動作を停止させ消費電力を大きく削減し、さらに負荷機器に備えられた容量の容量値が小さい場合であってもスイッチング電源装置が負荷機器と接続状態にあるか、非接続状態にあるかを検出できる電源システムを提供する。
【００１２】
なお、本開示において、「容量素子」は、コンデンサだけでなく、一般に電荷を蓄積できる素子を意味する。また、「容量」は、コンデンサにおける蓄電能力だけでなく、他の素子等に付随している蓄電能力（寄生容量）、及びこれらの蓄電能力を備えた構成を含む。
【００１３】
（実施の形態１）
本開示の実施の形態１のスイッチング電源装置を説明する。
【００１４】
図１は本実施の形態１のスイッチング電源装置の一構成例を示す回路図である。
【００１５】
図１において、商用の交流電源１からの入力交流電圧が、入力フィルタ回路２、入力整流回路３、入力平滑回路４を経て、入力直流電圧として入出力変換回路３００に入力されている。
【００１６】
入出力変換回路３００は入力された入力電圧を所望の出力電圧に変換するために配置される。例えば、図１のように電力変換用のトランス３０１、ダイオード３０２、平滑コンデンサ３０３から成り、トランス３０１は一次巻線３０１ａと二次巻線３０１ｂを有し、一次巻線３０１ａと二次巻線３０１ｂの極性は逆方向になっている。このスイッチング電源装置はフライバック型である。
【００１７】
一次巻線３０１ａにはスイッチング素子７が接続されており、スイッチング素子７は、スイッチング制御回路１００のＯＵＴ端子出力信号がスイッチング素子７の制御電極（ゲート）に入力されることで、オンオフのスイッチング制御がなされる。
【００１８】
また、スイッチング制御回路１００はスイッチング素子７の制御を行い、出力電圧を一定にするようにスイッチング素子７の導通、非導通状態を制御する制御装置であり、外部入出力端子として、Ｖｉｎ端子、ＶＤＤ端子、ＧＮＤ端子、ＯＵＴ端子、及びＯＦＦ端子の５つの端子を有している。例えば、図１のように、パルス幅制御回路１０１、駆動回路１０２、オフモード検出器１０３、基準電圧源１０４、オフモードスイッチ１０５、レギュレータ１０６などから構成される制御装置である。
【００１９】
Ｖｉｎ端子は、スイッチング制御回路１００の起動端子であり、入力平滑回路の入力直流電圧が出力されるラインから電力が供給される。Ｖｉｎ端子から入力された電力は、レギュレータ１０６に入力され、レギュレータ１０６を介して、スイッチング制御回路１００内の回路に電力が供給される。
【００２０】
ＧＮＤ端子は、入力平滑回路の低電位側に接続され、一次側の電圧基準となっている。
【００２１】
ＯＵＴ端子は、スイッチング素子７のゲートに抵抗６を介して接続される端子である。
【００２２】
ＶＤＤ端子は、スイッチング制御回路１００の電源用端子である。ＶＤＤ端子にはコンデンサ１７が接続され、スイッチング電源装置の起動時はＶＤＤ端子からコンデンサ１７に充電電流が流れ込みコンデンサ１７の電圧が上昇する。コンデンサ１７の電圧が上昇するとＶＤＤ端子の電圧が一定になるようにレギュレータ１０６により制御される。
【００２３】
ＯＦＦ端子は、機器接続状態検出回路２００Ａから出力されるオフモード信号が入力され、オフモードと通常動作を切り替えるための端子である。
【００２４】
出力端子１６は、入出力変換回路３００の出力電圧を出力する端子と、二次側ＧＮＤ端子の２端子で構成される。
【００２５】
機器接続状態検出回路２００Ａは、出力端子１６と負荷機器４００が接続状態であるか非接続状態であるかを検出するために配置され、スイッチング制御回路１００のＶＤＤ端子、ＯＦＦ端子、一次側ＧＮＤ、出力端子１６に接続される。例えば図１のように、負荷機器接続端子５、波形検出回路２０１、トランス２０２、パルス発生器２０３、スイッチング素子２０４、ダイオード１８、コンデンサ８から成る。
【００２６】
トランス２０２は、例えば、図２のトランス２０２Ａのように一次巻線２１０ａと二次巻線２１０ｂを有し、一次巻線２１０ａと二次巻線２１０ｂの極性は逆方向になっている。トランス２０２Ａはフライバック型である。図２の一次巻線２１０ａと二次巻線２１０ｂに付してあるドットは、各巻線の極性を示している。図２では、スイッチング素子２０４に接続される一次巻線２１０ａの一端と、ダイオード１８のアノードに接続される二次巻線２１０ｂの一端にドットを付している。
【００２７】
ダイオード１８は、コンデンサ８に蓄えられるエネルギー、およびダイオード１５を介して流れる負荷電流がトランス２０２へ逆流することを防止する整流機能を有する。
【００２８】
ダイオード１５は、アノード側が入出力変換回路に接続され、カソード側が出力端子１６に接続され、コンデンサ８に蓄えられるエネルギーが平滑コンデンサ３０３へ逆流するのを防ぐ。
【００２９】
波形検出回路２０１は、例えば、図３の波形検出回路２０１Ａのように、ツェナーダイオード２０９、抵抗２０６、コンデンサ２０７で構成される。
【００３０】
パルス発生器２０３は、例えば、図４のパルス発生器２０３Ａのように、抵抗２３１、２３２、２３３、２３４、２３５、２３６、コンデンサ２３９、オペアンプ２３７、電圧比較器２３８で構成される。この回路は、一般的に知られているパルス発生回路であるので、動作の詳細な説明は省略する。
【００３１】
負荷機器４００は、例えばノートパソコンや、タブレットパソコンなどの電子機器であり、出力端子１６と装脱着可能である。負荷機器４００の入力近傍は例えば、図５Ａの４００Ａのように、入力端子１９、放電回路４５０から成る。
【００３２】
放電回路４５０は、例えば図５Ｂの放電回路４５０Ａように抵抗４５１から成る。
【００３３】
以上のように構成された図１に示すスイッチング電源装置の動作を説明する。
【００３４】
商用電源１から交流電圧が入力フィルタ回路２を介して入力されると、入力整流回路３と入力平滑回路４とにより、整流および平滑化されて、直流電圧に変換される。この直流電圧からスイッチング制御回路１００へ起動電流が供給され、スイッチング制御回路１００が動作可能な状態になると、スイッチング素子７をスイッチングさせる制御が開始され、入出力変換回路３００から、出力端子１６を介して負荷機器４００に電力が供給される。
【００３５】
スイッチング制御回路１００のＶＤＤ端子から、機器接続状態検出回路２００Ａに電力が供給される。パルス発生器２０３はＶＤＤ端子から電流が供給されると、監視パルスをスイッチング素子２０４のゲートに出力する。監視パルスがスイッチング素子２０４のゲートに入力されると、スイッチング素子２０４は導通状態になる。
【００３６】
図６は図１におけるスイッチング電源装置の動作を示したタイミングチャートである。
【００３７】
図６を用いて、負荷機器の接続状態（図６(a)）における各回路の動きを、出力端子１６と負荷機器４００が接続状態の期間（図６（Ａ）の期間）、出力端子１６と負荷機器４００が非接続状態となりオフモードに移行する期間（図６（Ｂ）の期間）、出力端子１６と負荷機器４００が非接続状態の期間（図６（Ｃ）の期間）、出力端子１６と負荷機器４００が接続状態となりオフモードから復帰する期間（図６（Ｄ））に分けてスイッチング電源装置の動作を説明する。
【００３８】
まず、出力端子１６と負荷機器４００が接続状態の期間（図６（Ａ）の期間）について説明する。
【００３９】
監視パルス（図６（ｉ））がスイッチング素子２０４のゲートに入力されて、スイッチング素子２０４が導通している期間Ｔｏｎの間は、一次巻線２１０ａに一次側電流Ｉｄ（図６（ｇ））が流れる。そして、期間Ｔｏｎの間に、一次巻線２１０ａに励磁エネルギーＥｐが蓄えられる。そして、スイッチング素子２０４が非導通状態になると、一次巻線２１０ａに蓄えられたエネルギーＥｐが二次巻線２１０ｂを介して二次側に伝達される。このとき、二次巻線２１０ｂに二次電流Ｉｃ（図６（ｈ））が流れる。二次側電流Ｉｃは、ダイオード１８を介してコンデンサ８を充電する。コンデンサ８が充電されると、図１の接続点Ｐ２の電圧Ｖｃ（図６（ｅ））が上昇する。また、二次巻線２１０ｂに電流Ｉｃが流れている間は、図１の接続点Ｐ１の電圧Ｖｄ（図６（ｆ））に反射電圧Ｖｏｒが発生する。そして、上昇した電圧Ｖｃは、スイッチング電源装置内部のリーク電流（例えば、ダイオード１８の逆電流やコンデンサ８の漏れ電流）によって放電される。
【００４０】
このとき、電圧Ｖｄは、一次巻線２１０ａの非ドット側端子に入力される電圧をＶＤＤ、一次巻線２１０ａの巻数をＮｐ、二次巻線２１０ｂの巻数をＮｓ、出力端子１６間の出力電圧をＶｏ、電圧Ｖｃの電圧上昇分をΔＶｏ、ダイオード１８の順方向電圧をＶｆとすると、電圧Ｖｃ、電圧Ｖｄ、反射電圧Ｖｏｒは以下の式で表すことができる。
【００４１】
Ｖｄ  ＝ＶＤＤ＋Ｖｏｒ              …（１）
Ｖｏｒ＝Ｎｐ／Ｎｓ・（Ｖｃ＋Ｖｆ）  …（２）
Ｖｃ  ＝Ｖｏ＋ΔＶｏ                …（３）
そして、ツェナーダイオード２０９のツェナー電圧Ｖｚとしたとき、出力端子１６と負荷機器４００が接続状態の場合にＶｄ＜Ｖｚとなるようにツェナー電圧ＶＺ１を設定しておくと、ツェナーダイオード２０９にはツェナー電流Ｉｚは流れないため、ＯＦＦ端子の電圧Ｖｏｆｆ（図６（ｄ））は抵抗２０６によって０Ｖに接地され、Ｌレベルに維持される。ＯＦＦ端子電圧がＬレベルに維持されると、スイッチング制御回路１００はオフモードスイッチ１０５を導通状態に制御するので、スイッチング素子７はスイッチング動作を継続し（図６（ｃ））、図１の接続点Ｐ３の電圧ＶａはＶｏ（例えば１９Ｖ）で一定に保持される（図６（ｂ））。
【００４２】
放電回路４５０Ａの抵抗４５１は次の監視パルスが入力される前に、一つ前のパルスが入力された時にトランス２０２Ａを介してコンデンサ８に充電された電荷よりも多く電荷を放電するように設定される（例えば数百ｋΩ）。
【００４３】
次に、出力端子１６と負荷機器４００が非接続状態となりオフモードに移行する期間（図６（Ｂ）と（Ｃ）の期間）について説明する。
【００４４】
出力端子１６が負荷機器４００と非接続状態になると、トランス２０２Ａを介して、コンデンサ８に充電された電荷が、放電回路４５０Ａの抵抗４５１で放電されなくなるため、図１の接続点Ｐ２の電圧Ｖｃは保持される。そして、監視パルスがスイッチング素子２０４に入力されるごとに、コンデンサ８は充電され、図１の接続点Ｐ２の電圧Ｖｃが上昇する。図１の接続点Ｐ２の電圧Ｖｃの上昇に応じて反射電圧Ｖｏｒが上昇する。反射電圧Ｖｏｒが上昇し、Ｖｄ＞ＶＺ１となるとツェナーダイオード２０９が導通し、ツェナー電流Ｉｚが流れる。ツェナー電流Ｉｚが流れるとコンデンサ２０７が充電され、ＯＦＦ端子電圧Ｖｏｆｆが上昇する。コンデンサ２０７は充電されると抵抗２０６で放電されるが、次の充電がされるまでに完全に放電されないように抵抗２０６を設定しておけば、ＯＦＦ端子電圧ＶｏｆｆはＨレベルで保持される。ＯＦＦ端子電圧Ｖｏｆｆがオフモード検出器１０３の基準電圧Ｖｒｅｆ１よりも高くなると、スイッチング制御回路１００はオフモードスイッチ１０５を遮断状態に制御するので、スイッチング素子７はスイッチング動作を停止し、図１の接続点Ｐ３の電圧Ｖａは０Ｖに低下し、スイッチング電源装置の消費電力が削減される。
【００４５】
次に、出力端子１６と負荷機器４００が接続状態となりオフモードから復帰する期間について説明する（図６の（Ｄ）と（Ｅ）の期間）。
【００４６】
出力端子１６が負荷機器４００と接続状態になると、コンデンサ８に充電された電荷が放電回路４５０Ａの抵抗４５１を介して放電されるので、図１の接続点Ｐ２の電圧Ｖｃは低下する。Ｖｃが低下すると反射電圧Ｖｏｒは減少するので、Ｖｄ＜ＶＺ１となるとツェナーダイオード２０９が非導通状態となり、ツェナー電流Ｉｚが流れなくなる。ツェナー電流Ｉｚが流れなくなるとコンデンサ２０７が充電されないので、抵抗２０６によって電荷が放電されＯＦＦ端子電圧Ｖｏｆｆが０Ｖに低下し、ＯＦＦ端子電圧はＬレベルに維持される。ＯＦＦ端子電圧がＬレベルに維持されると、スイッチング制御回路１００はオフモードスイッチ１０５を導通状態に制御するので、スイッチング素子７はスイッチング動作を開始し、電圧Ｖａは上昇する。
【００４７】
このように、本実施の形態のスイッチング電源装置は、スイッチング電源装置と負荷機器が接続状態が非接続状態の時にはスイッチング電源装置のスイッチング動作を停止させ消費電力を大きく削減し、さらに負荷機器に備えられた容量の容量値が数千ｐＦと小さい場合であっても、負荷機器４００の入力端子近傍に備えられた抵抗を用いることで、出力端子１６と負荷機器４００の接続状態を精度よく検出することができ、スイッチング電源装置のオフモード制御を行うことができる。
【００４８】
なお、放電回路は図５Ｃの放電回路４５０Ｂのようにコンデンサ４５２でもよい。このコンデンサは負荷機器４００のノイズ対策用素子にも利用できる。このとき、コンデンサ４５２だけでは通常動作を維持することはできないが、一般的には負荷機器に電圧が印加されると負荷機器の負荷電流が増えるので、コンデンサ８に充電された電荷は放電され続ける。
【００４９】
また、放電回路は図５Ｄの放電回路４５０Ｃのようにコンデンサ４５３と抵抗４５４が並列に接続されていてもよい。
【００５０】
また、放電回路は図５Ｅの放電回路４５０Ｄのようにコンデンサ４５７と抵抗４５６が直列に接続されていてもよい。放電回路４５０Ｄは負荷機器４００への過電圧を抑制するスナバ回路としても利用できる。
【００５１】
また、放電回路は図５Ｂ〜図５Ｅを組み合わせた回路であってもよい。
【００５２】
また、放電回路は図５Ｆの放電回路４５０Ｅの抵抗４５８、４５９のように電源アダプタ接続検出回路４６０の電圧検出用抵抗であってもよい。
【００５３】
（実施の形態１の変形例１）
実施の形態１の変形例１に係るスイッチング電源装置は、実施の形態１と比較して、機器接続状態検出回路２００Ａの負荷機器接続端子５の接続先の構成が異なる。
【００５４】
図７は、実施の形態１の変形例１に係るスイッチング電源装置における一例を示したものである。
【００５５】
以下では、図１に示す実施の形態１のスイッチング電源装置と同じ構成要素には同じ参照符号を付して説明を省略し、実施の形態１と異なる点を中心に動作を説明する。
【００５６】
機器接続状態検出回路２００Ａの負荷機器接続端子５は、ダイオード１８のカソードが接続されている一端がダイオード１５のカソード側、すなわち出力端子１６との接続点に接続され、負荷機器接続端子５のもう一端は、ダイオード１５のアノード側に接続されている。すなわち、機器接続状態検出回路２００Ａは、ダイオード１５の両端に接続されることにより、ダイオード１５の両端に現れる電位差（逆方向電圧Ｖｒｅ）を検出する。
【００５７】
図８は図７における実施の形態１の変形例１のスイッチング電源装置の動作を示したタイミングチャートである。図６の実施の形態１のタイミングチャートと比較して、図６（ｅ）の電圧Ｖｃの代わりに図７（ｅ）の逆電圧Ｖｒｅを記載している点が異なる。
【００５８】
図８を用いて、負荷機器の接続状態（図８(a)）における各回路の動きを説明する。
【００５９】
出力端子１６が負荷機器４００と接続状態の期間について説明する（図８（Ａ）の期間）。
【００６０】
監視パルス（図８（ｉ））がスイッチング素子２０４のゲートに入力されて、スイッチング素子２０４が導通している期間Ｔｏｎの間は、一次巻線２１０ａに一次側電流Ｉｄ（図８（ｇ））が流れる。そして、期間Ｔｏｎの間に、一次巻線２１０ａに励磁エネルギーＥｐが蓄えられる。そして、スイッチング素子２０４が非導通状態になると、一次巻線２１０ａに蓄えられたエネルギーＥｐが二次巻線２１０ｂを介して二次側に伝達される。このとき、二次巻線２１０ｂに二次電流Ｉｃ（図８（ｈ））が流れる。二次側電流Ｉｃは、ダイオード１８を介してコンデンサ８を充電する。コンデンサ８が充電されると、図７の接続点Ｐ２の逆電圧Ｖｒｅ（図８（ｅ））が上昇する。また、二次巻線２１０ｂに電流Ｉｃが流れている間は、図７の接続点Ｐ１の電圧Ｖｄに反射電圧Ｖｏｒ（図８（ｆ））が発生する。
【００６１】
このとき、電圧Ｖｄは（式１）で同様に表され、反射電圧Ｖｏｒは次式で表される。
【００６２】
Ｖｏｒ＝Ｎｐ／Ｎｓ・（Ｖｒｅ＋Ｖｆ）  …（４）
この式（４）が実施の形態１における式（２）との違いを表している。式（４）に示すように、実施の形態１の変形例１におけるスイッチング電源装置では、反射電圧Ｖｏｒは、出力電圧Ｖｏの項を含まない。
【００６３】
そして、出力端子１６と負荷機器４００が接続状態の時に電圧Ｖｄとツェナーダイオード２０９のツェナー電圧ＶＺ１の関係が、Ｖｄ＜ＶＺ１となるようにツェナー電圧ＶＺ１（例えば１０Ｖ）を設定しておくと、ツェナーダイオード２０９にはツェナー電流Ｉｚは流れないため、ＯＦＦ端子の電圧Ｖｏｆｆ（図８（ｄ））は抵抗２０６によって０Ｖに接地され、Ｌレベルに維持される。ＯＦＦ端子電圧がＬレベルに維持されると、スイッチング制御回路１００はオフモードスイッチ１０５を導通状態に制御するので、スイッチング素子７はスイッチング動作を継続し（図８（ｃ））、図７の接続点Ｐ３の電圧ＶａはＶｏで一定に保持される（図８（ｂ））。
【００６４】
次に、出力端子１６と負荷機器４００が非接続状態となりオフモードに移行する期間（図８（Ｂ）と（Ｃ）の期間）について説明する。
【００６５】
出力端子１６が負荷機器４００と非接続状態になると、トランス２０２Ａを介して、コンデンサ８に充電された電荷が、放電回路４５０Ａの抵抗４５１で放電されなくなるため、図７の接続点Ｐ２の逆方向電圧Ｖｒｅは保持される。そして、監視パルスがスイッチング素子２０４に入力されるごとに、コンデンサ８は充電され、図７の接続点Ｐ２の逆方向電圧Ｖｒｅが上昇し、それに応じて反射電圧Ｖｏｒが上昇する。反射電圧Ｖｏｒが上昇し、Ｖｄ＞ＶＺ１となるとツェナーダイオード２０９が導通し、ツェナー電流Ｉｚが流れる。ツェナー電流Ｉｚが流れるとコンデンサ２０７が充電され、ＯＦＦ端子電圧Ｖｏｆｆが上昇する。コンデンサ２０７は充電されると抵抗２０６で放電されるが、次の充電がされるまでに完全に放電されないように抵抗２０６を設定しておけば、ＯＦＦ端子電圧ＶｏｆｆはＨレベルで保持される。ＯＦＦ端子電圧Ｖｏｆｆがオフモード検出器１０３の基準電圧Ｖｒｅｆ１（例えば１Ｖ）よりも高くなると、スイッチング制御回路１００はオフモードスイッチ１０５を遮断状態に制御するので、スイッチング素子７はスイッチング動作を停止し、図７の接続点Ｐ３の電圧Ｖａは０Ｖに低下し、スイッチング電源装置の消費電力が削減される。
【００６６】
次に、出力端子１６と負荷機器４００が接続状態となりオフモードから復帰する期間について説明する（図８（Ｄ）と（Ｅ）の期間）。
【００６７】
出力端子１６が負荷機器４００と続状態になると、コンデンサ８に充電された電荷が放電回路４５０Ａの抵抗４５１を介して放電されるので、図７の逆方向電圧Ｖｒｅは低下する。逆方向電圧Ｖｒｅが低下すると反射電圧Ｖｏｒは減少するので、Ｖｄ＜ＶＺ１となるとツェナーダイオード２０９が非導通状態となり、ツェナー電流Ｉｚが流れなくなる。ツェナー電流Ｉｚが流れなくなるとコンデンサ２０７が充電されないので、抵抗２０６によって電荷が放電されＯＦＦ端子電圧Ｖｏｆｆが０Ｖに低下し、ＯＦＦ端子電圧はＬレベルに維持される。ＯＦＦ端子電圧がＬレベルに維持されると、スイッチング制御回路１００はオフモードスイッチ１０５を導通状態に制御するので、スイッチング素子７はスイッチング動作を開始し、電圧Ｖｏは上昇する。
【００６８】
このように、本実施の形態のスイッチング電源装置は、実施の形態１と同様の効果を得ることができる。
【００６９】
さらには、実施の形態１に比べ、機器接続状態検出回路２００Ａが入出力変換回路３００から出力される電圧の影響を受けないために、より高精度に負荷機器４００の接続、非接続状態を検出することができる。
【００７０】
（実施の形態１の変形例２）
実施の形態１の変形例２に係るスイッチング電源装置は、実施の形態１と比較して、負荷機器４００の構成が異なる。
【００７１】
以下では、図１に示す実施の形態１のスイッチング電源装置と同じ構成要素には同じ参照符号を付して説明を省略し、実施の形態１と異なる点を中心に動作を説明する。
【００７２】
図９は、負荷機器４００Ｂの一例を示したもので、入力端子１９と放電回路４７０と接続回路４８０で構成される。
【００７３】
放電回路４７０は図５Ｂ〜図５Ｆ、またはそれを組み合わせた回路構成でよい。
【００７４】
接続回路４８０は、例えば図１０の接続回路４８０Ａのようにツェナーダイオード４８１、コンデンサ４８２、抵抗４８３で構成される。
【００７５】
通常時は負荷機器４００Ｂの内部回路からスイッチング電源装置オフ信号として電圧Ｖｐｃ（例えば１５Ｖ）は印加されていない。出力端子１６間の電圧Ｖｏｕｔ（例えば２３Ｖ）がツェナーダイオード４８１のツェナー電圧ＶＺ２（例えば１０Ｖ）よりも大きい場合は、ツェナーダイオード４８１は導通状態となる。このとき、放電回路４７０は接続回路４８０を介して入力端子１９のもう一端に接続されている状態となる。
【００７６】
出力端子１６と負荷機器４００Ｂが接続状態の時に、ツェナーダイオード４８１が導通状態の場合は、スイッチング電源装置の動作は図６（Ａ）の期間と同様の挙動となる。
【００７７】
出力端子１６と負荷機器４００Ｂが接続状態の時に、電圧Ｖｐｃが入力され、電圧Ｖｏｕｔと電圧Ｖｐｃの差がツェナー電圧ＶＺ２よりも小さくなると、ツェナーダイオード４８１は非導通状態となり、放電回路４７０は入力端子１９の一端から切り離された状態となる。このとき、トランス２０２Ａを介して、コンデンサ８に充電された電荷が、放電回路４５０Ａの抵抗４５１で放電されなくなるため機器接続状態検出回路２００Ａは非接続状態を検出し、スイッチング制御回路１００はオフモードスイッチ１０５を遮断状態に制御するので、スイッチング素子７はスイッチング動作を停止し、図６（Ｃ）の期間と同様の挙動となるのでスイッチング電源装置の消費電力が削減される。
【００７８】
本構成によれば、電力を効率的に使用するために、電力需要が高まる時間帯の電力消費を、他の時間帯にシフトする「ピークシフト」に応用することができる。例えば、負荷機器をノートパソコン、スイッチング電源装置をＡＣアダプタすると、昼間の一部の時間帯は、ノートパソコンはＡＣアダプタの動作を停止させ、ノートパソコンに備えられたバッテリーからの電力供給のみで動作し、ＡＣアダプタはオフモードとなり消費電力を削減する。夜間の間は、ＡＣアダプタを動作させ、バッテリーを充電することで、電力消費の時間帯をシフトさせることができる。
【００７９】
また、本構成は実施の形態１の変形例１に適用しても、同様の効果を得ることができる。
【００８０】
（実施の形態２）
実施の形態２に係るスイッチング電源装置は、実施の形態１と比較して、機器接続状態検出回路２００Ｂの構成と負荷機器接続端子５の接続先、及び負荷機器４００の構成が異なる。
【００８１】
図１１は、実施の形態２に係るスイッチング電源装置における一例を示したものである。
【００８２】
機器接続状態検出回路２００Ｂは、例えば図１１のように、負荷機器接続端子５、波形検出回路２１２、トランス２０２、パルス発生器２０３、スイッチング素子２０４、抵抗２０５から成る。
【００８３】
トランス２０２は、例えば、図１２の２０２Ｂのように一次巻線２１１ａと二次巻線２１１ｂを有し、一次巻線２１１ａと二次巻線２１１ｂの極性は順方向になっている。トランス２０２Ｂはフォワード型である。図１２の一次巻線２１１ａと二次巻線２１１ｂに付してあるドットは、各巻線の極性を示している。図１２では、抵抗２０５に接続される一次巻線２１１ａと反対側の一端と、負荷機器接続端子５を介してダイオード１５のカソードに接続される二次巻線２１１ｂの一端にドットを付している。
【００８４】
波形検出回路２１２は、例えば、図１３の波形検出回路２１２Ａのように、コンパレータ２４３、基準電圧源２４４、ダイオード２４２、抵抗２４１、コンデンサ２４０で構成される。
【００８５】
負荷機器４００の入力近傍は例えば、図１４の４００Ｄのように、入力端子１９、容量性インピーダンス素子４９０から成る。
【００８６】
容量性インピーダンス素子４９０は例えば、図５Ｃのコンデンサ４５２で構成される。
【００８７】
以下では、図１に示す実施の形態１のスイッチング電源装置と同じ構成要素には同じ参照符号を付して説明を省略し、実施の形態１と異なる点を中心に動作を説明する。
【００８８】
図１５は図１１における実施の形態２のスイッチング電源装置の動作を示したタイミングチャートである。
【００８９】
図１５を用いて、負荷機器の接続状態（図１５(a)）における各回路の動きを説明する。
【００９０】
出力端子１６が負荷機器４００と接続状態の期間について説明する（図１５（Ａ）の期間）。
【００９１】
監視パルス（図１５（ｈ））が印加されて、スイッチング素子２０４が導通すると、トランス２０２Ｂの一次巻線２１１ａには一次側電流Ｉｐ（図１５（ｆ））が流れると同時に、二次巻線２１１ｂを介して二次側電流Ｉｓ（図１５（ｇ））が流れる。このとき、一次側電流Ｉｐは抵抗２０５によって調整されるが、抵抗２０５は例えば数百Ω程度であれば良い。
【００９２】
二次側電流Ｉｓは出力端子１６間の寄生容量（図には示していない）を充電し、さらに、出力端子１６を介して負荷機器４００Ｄに流れて、コンデンサ４５２を充電する。
【００９３】
出力端子１６間の寄生容量をＣｌ、コンデンサ４５２の容量値をＣｐｃとすると、トランス２０２Ｂの一次巻線２１１ａと二次巻線２１１ｂの巻数比が等しい時は、スイッチング素子２０４が導通すると、一次巻線２１１ａの両端には容量（Ｃｌ＋Ｃｐｃ）が接続されていると等価的に見なすことができる。容量（Ｃｌ＋Ｃｐｃ）が二次側電流Ｉｓで充電されて上昇する電圧をΔＶｏ、トランス２０２Ｂの一次巻線２１１ａに印加される電圧をＶＤＤとすると、図１１の接続点Ｐ１の電圧Ｖｐ（図１５（ｅ））はＶＤＤ−ΔＶｏとなる。
【００９４】
二次側電流Ｉｓは、コンデンサ４５２を充電するため、ΔＶｏの上昇はゆるやかになる。そのため、電圧Ｖｐの降下は緩やかになる。出力端子１６と負荷機器４００が非接続状態のとき、コンパレータ２４３の基準電圧Ｖｒｅｆ２（例えば１Ｖ）を電圧Ｖｐよりも低く設定しておくとコンパレータ２４３の出力はＬレベルとなる。
【００９５】
コンデンサ２４０の電荷は抵抗２４１で放電されているため、ＯＦＦ端子電圧（図１５（ｄ））はＬレベルとなる。ＯＦＦ端子電圧がＬレベルに維持されると、スイッチング制御回路１００はオフモードスイッチ１０５を導通状態に制御するので、スイッチング素子７はスイッチング動作を継続し（図１５（ｃ））、図１１の接続点Ｐ３の電圧ＶａはＶｏに保持される（図１５（ｂ））。
【００９６】
次に、出力端子１６と負荷機器４００が非接続状態となりオフモードに移行する期間（図１５（Ｂ）と（Ｃ）の期間）について説明する。
【００９７】
出力端子１６が負荷機器４００と非接続状態になると、出力端子１６間の容量は寄生容量Ｃｌのみになる。
【００９８】
スイッチング素子２０４が導通すると、二次側電流Ｉｓは出力端子１６間の寄生容量Ｃｌのみを充電する。寄生容量Ｃｌが充電されて上昇する電圧ΔＶｏは負荷機器４００が接続されていたときと比べて、立ち上がりが急になるので、図１１の接続点Ｐ１の電圧Ｖｐの立ち下がりも急と成る。
【００９９】
その結果一定期間だけ、電圧Ｖｐがコンパレータ２４３の基準電圧Ｖｒｅｆ２よりも低くなる。電圧Ｖｐがコンパレータ２４３の基準電圧Ｖｒｅｆ２よりも低くなるとコンパレータ２４３の出力はＨレベルとなる。コンパレータ２４３の出力はＨレベルになると、コンパレータ２４３の出力からダイオード２４２を介して電流が流れ、コンデンサ２４０が充電される。
【０１００】
コンデンサ２４０が充電されて、ＯＦＦ端子の電圧が、オフモード検出器１０３の基準電圧Ｖｒｅｆ１をよりも大きくなると、スイッチング制御回路１００はオフモードスイッチ１０５を非導通状態にし、スイッチング素子７のスイッチング動作を停止するように制御する。その結果、スイッチング電源装置の消費電力が削減される。
【０１０１】
次に、出力端子１６と負荷機器４００が接続状態となりオフモードから復帰する期間（図１５（Ｄ）と（Ｅ）の期間）について説明する。
【０１０２】
出力端子１６に負荷機器４００が接続されると、出力端子１６間の容量値は容量（Ｃｌ＋Ｃｐｃ）となる。
【０１０３】
スイッチング素子２０４が導通すると、二次側電流Ｉｓは容量（Ｃｌ＋Ｃｐｃ）を充電するので、二次側電流Ｉｓで充電されて上昇する電圧をΔＶｏの立ち上がりは緩やかになり、図１１の接続点Ｐ１の電圧Ｖｐの電圧の立ち下がりも緩やかとなる。その結果、電圧Ｖｐはコンパレータ２４３の基準電圧Ｖｒｅｆ２よりも高くなり、コンパレータ２４３の出力はＬレベルとなる。
【０１０４】
コンパレータ２４３の出力はＬレベルとなると、コンデンサ２４０はコンパレータ２４３から充電されなくなるので、コンデンサ２４０の電荷は、抵抗２４１を介して放電されＯＦＦ端子電圧はＬレベルに維持される。
【０１０５】
その結果、スイッチング制御回路１００はオフモードスイッチ１０５を導通状態に制御するので、スイッチング素子７はスイッチング動作を開始するように制御する。
【０１０６】
また、抵抗２０５は出力端子１６と負荷機器４００の接続状態を精度よく検出するための調整部品の役割を果たす。抵抗２０５の抵抗値を調整することで寄生容量Ｃｌ、負荷機器の容量性インピーダンス素子を充電する速度を調整することができる。これより、スイッチング電源装置と負荷機器の接続状態であるか、非接続状態であるかの差をより明確に検出することができる。
【０１０７】
このように、本実施の形態のスイッチング電源装置は、スイッチング電源装置と負荷機器が非接続状態の時にはスイッチング電源装置のスイッチング動作を停止させ消費電力を大きく削減し、さらに負荷機器に備えられた容量の容量値が小さい場合であっても、機器接続状態検出回路２００Ｂに備えられた抵抗２０５を調整することで、出力端子１６と負荷機器４００の接続状態を検出することができ、スイッチング電源装置のオフモード制御を行うことができる。
【０１０８】
また、実施の形態２の変形例１で説明する図１８の構成例と比べ、機器接続状態検出回路２００Ｂが入出力変換回路３００から出力される電圧の影響を受けないために、より高精度に負荷機器４００の接続、非接続状態を検出することができる。
【０１０９】
負荷機器４００は、例えばノートパソコンであり、ノートパソコンには通常、電磁波ノイズ対策として数千ｐＦ〜数μＦ程度のコンデンサがノートパソコンの入力端子近傍に供えられている。このコンデンサを利用することで、部品を追加することなく負荷機器とスイッチング電源の接続状態を検出することができる。
【０１１０】
なお、容量性インピーダンス素子４９０は図５Ｃだけでなく、図５Ｄ、図５Ｅの構成でもよく、また各構成の組み合わせでもよい。
【０１１１】
（実施の形態２の変形例１）
実施の形態２の変形例１に係るスイッチング電源装置は、実施の形態２と比較して、機器接続状態検出回路２００Ｃの構成が異なる。
【０１１２】
図１６は、実施の形態２の変形例１に係るスイッチング電源装置における一例を示したものである。
【０１１３】
以下では、図１１に示す実施の形態２のスイッチング電源装置と同じ構成要素には同じ参照符号を付して説明を省略し、実施の形態２と異なる点を中心に動作を説明する。
【０１１４】
機器接続状態検出回路２００Ｃは機器接続状態検出回路２００Ｂと比較して、伝達回路２０８が備えられている点が異なる。
【０１１５】
伝達回路２０８は、ダイオード１５を介して流れる負荷電流がトランス２０２へ逆流することを防止する整流機能を有する。
【０１１６】
伝達回路２０８は例えば、図１７Ａの伝達回路２０８Ａのようにコンデンサ２５０で構成される。
【０１１７】
コンデンサ２５０はトランス２０２Ｂの二次巻線２１１ｂのドット側端子に接続され、もう一端は負荷機器接続端子５を介して、ダイオード１５のカソード端子に接続されている。
【０１１８】
図１６における実施の形態２の変形例１のスイッチング電源装置の動作は図１５のタイミングチャートと同様であるので、図１５を用いて動作の説明をする。
【０１１９】
出力端子１６が負荷機器４００と接続状態の期間について説明する（図１５（Ａ）の期間）。
【０１２０】
スイッチング素子２０４が導通状態となると、二次側電流Ｉｓが二次巻線２１１ｂを介して流れる。二次側電流Ｉｓはパルス電流であるので交流電流と見なすことができる。コンデンサ２５０は交流電流を通す機能を有するので、二次側電流Ｉｓはコンデンサ２５０を介して流れ、容量（Ｃｌ＋Ｃｐｃ）を充電する。このとき、コンデンサ２５０の容量値は容量（Ｃｌ＋Ｃｐｃ）と同程度以上であればよい。
【０１２１】
二次側電流Ｉｓは容量（Ｃｌ＋Ｃｐｃ）を充電するので、図１６の接続点Ｐ１の電圧降下ΔＶｏは緩やかになり（図１５（ｅ））、機器接続状態検出回路２００Ｃは出力端子１６と負荷機器４００が接続状態であると検出する。
【０１２２】
出力端子１６が負荷機器４００と非接続状態の期間について説明する。
【０１２３】
スイッチング素子２０４が導通状態となると、二次側電流Ｉｓはコンデンサ２５０を介して、寄生容量Ｃｌを充電するので、図１６の接続点Ｐ１の電圧降下ΔＶｏは急になり、機器接続状態検出回路２００Ｃが出力端子１６と負荷機器４００が非接続状態であると検出する。
【０１２４】
次に、負荷機器４００の入力端子にトランス２０２Ｂの二次巻線２１１ｂ間に発生する二次側電圧Ｖｓよりも高い電圧Ｖｐｏが残っている時に、出力端子１６が負荷機器４００と非接続状態から接続状態に移行する期間について説明する（図１５（Ｂ）の期間）。
【０１２５】
出力端子１６と負荷機器４００が接続されると、コンデンサ２５０の負荷機器接続端子５に接続されている一端には電圧Ｖｐｏが印加されるが、コンデンサ２５０は直流電流を通さないので、負荷機器４００の入力端子から、コンデンサ２５０を介して二次巻線２１１ｂに逆電流が流れることはない。二次側電流Ｉｓは交流成分であるためコンデンサ２５０を介して容量（Ｃｌ＋Ｃｐｃ）に流れるので、図１６の接続点Ｐ１の電圧降下ΔＶｏは緩やかになり、機器接続状態検出回路２００Ｃは出力端子１６と負荷機器４００が接続状態であると検出する。
【０１２６】
本構成によれば、負荷機器４００の入力端子１９に二次巻線２１１ｂに発生する電圧よりも高い電圧が残った状態で、出力端子１６と負荷機器４００が接続されても、接続状態を確実に検出することができる。
【０１２７】
なお、伝達回路２０８は、例えば、図１７Ｂの伝達回路２０８Ｂのようにダイオード２５１で構成されてもよい。
【０１２８】
また、伝達回路２０８があれば、図１８のようにトランス２０２Ｂの二次巻線２１１ｂのドット側端子が出力端子１６のもう一端に接続されている構成でも同様の効果を得ることができる。
【０１２９】
（実施の形態２の変形例２）
実施の形態２の変形例２に係るスイッチング電源装置は、実施の形態２と比較して、負荷機器４００の構成が異なる。
【０１３０】
以下では、図１１に示す実施の形態２のスイッチング電源装置と同じ構成要素には同じ参照符号を付して説明を省略し、実施の形態２と異なる点を中心に動作を説明する。
【０１３１】
図１９は、負荷機器４００Ｃの一例を示したもので、入力端子１９と容量性インピーダンス素子５００と接続回路５１０で構成される。
【０１３２】
容量性インピーダンス素子５００は図５Ｃ〜図５Ｅ、またはそれを組み合わせた回路構成でよい。
【０１３３】
接続回路５１０は、例えば図２０の接続回路５１０Ａのように、コンデンサ４１４、抵抗４１５、ＮｃｈＭＯＳ４１６、ＮＰＮトランジスタ４１７で構成される。
【０１３４】
コンデンサ４１４の容量値は容量性インピーダンス素子５００の容量値に比べ十分小さい、例えば数十ｐＦであることが望ましい。
【０１３５】
以下、接続回路５１０Ａの動作について説明する。
【０１３６】
出力端子１６と入力端子１９が接続状態の時、二次側電流Ｉｓは入力端子１９を介して容量性インピーダンス素子５００に流れる。容量性インピーダンス素子５００はコンデンサとみなせるので、交流電流成分の二次側電流Ｉｓは容量性インピーダンス素子５００を通過し、さらに二次側電流Ｉｓの一部はコンデンサ４１４を通過してＮＰＮトランジスタ４１７のベース端子へ流れる。二次側電流Ｉｓの一部がＮＰＮトランジスタ４１７のベース端子に流れると、ＮＰＮトランジスタ４１７は瞬時に導通状態となり、二次側電流ＩｓはＮＰＮトランジスタ４１７を流れる。このとき二次側電流Ｉｓの一部は抵抗４１５を介してＮＰＮトランジスタ４１７のベースに流れるのでＮＰＮトランジスタ４１７は導通状態を継続する。その結果、容量性インピーダンス素子５００は入力端子１９間に接続されていると見なすことができるので、スイッチング電源装置は図１５（Ａ）の期間と同様の挙動となる。
【０１３７】
スイッング電源装置オフ信号ＶｐｃがＮｃｈＭＯＳ４１６のゲートに入力されて、ＮｃｈＭＯＳ４１６が導通状態になると、ＮＰＮトランジスタ４１７は非導通状態となり、コンデンサ４１４の一端が入力端子１９の一端に接続されていると見なすことができる。
【０１３８】
その結果、容量性インピーダンス素子５００とコンデンサ４１４が直列に接続されていると見なせる。このとき、容量性インピーダンス素子５００とコンデンサ４１４の合成容量値は、コンデンサ４１４の容量値を容量性インピーダンス素子５００よりも十分小さく設定してあるので、コンデンサ４１４に近い値となる。
【０１３９】
コンデンサ４１４は出力端子１６の寄生容量Ｃｌと容量性インピーダンス素子５００の容量値Ｃｐｃよりも十分小さいので、出力端子１６と入力端子１９が接続状態であっても、機器接続状態検出回路２００Ｂは非接続状態と検出し、スイッチング制御回路１００はオフモードスイッチ１０５を遮断状態に制御するので、スイッチング素子７はスイッチング動作を停止し、スイッチング電源装置の消費電力が削減される。
【０１４０】
本構成によれば実施の形態１の変形例２と同様に「ピークシフト」に応用することができる。
【産業上の利用可能性】
【０１４１】
本開示のスイッチング電源装置は、スイッチング電源装置と負荷機器が非接続状態の時にはスイッチング電源装置のスイッチング動作を停止させ消費電力をさらに削減し、負荷機器の入力端子近傍に備えられた容量値が小さい場合でも、スイッチング電源装置と負荷機器の接続状態を検出することができる。
【符号の説明】
【０１４２】
１  商用電源
２  入力フィルタ回路
３  入力整流回路
４  入力平滑回路
５  負荷機器接続端子
６，２０５，２０６，２３１，２３２，２３３，２３４，２３５，２３６，２４１，４１５，４５１，４５４，４５６，４５８，４５９，４８３  抵抗
７，２０４  スイッチング素子
１５，１８，２４２，２５１，３０２  ダイオード（整流回路）
１６  出力端子
８，１７，２０７，２３９，２４０，２５０，４１４，４５２，４５３，４５７，４８２  コンデンサ（容量、容量素子）
１９  入力端子
１００  スイッチング制御回路
１０１  パルス幅制御回路
１０２  駆動回路
１０３  オフモード検出器
１０４，２４４  基準電圧源
１０５  オフモードスイッチ
１０６  レギュレータ
２００Ａ，２００Ｂ，２００Ｃ  機器接続状態検出回路
２０１，２０１Ａ，２１２，２１２Ａ  波形検出回路
２０２，２０２Ａ，２０２Ｂ，３０１  トランス
２０３，２０３Ａ  パルス発生器
２０８，２０８Ａ，２０８Ｂ  伝達回路
２０９，４８１  ツェナーダイオード
２１０ａ，２１１ａ，３０１ａ  一次巻線
２１０ｂ，２１１ｂ，３０１ｂ  二次巻線
２３７  オペアンプ
２３８  電圧比較器
２４３  コンパレータ
３００  入出力変換回路
３０３  平滑コンデンサ
４００，４００Ａ，４００Ｂ，４００Ｃ，４００Ｄ  負荷機器
４１６  ＮｃｈＭＯＳＦＥＴ
４１７  ＮＰＮトランジスタ
４５０，４５０Ａ，４５０Ｂ，４５０Ｃ，４５０Ｄ，４５０Ｅ，４７０  放電回路
４６０  電源アダプタ接続検出回路
４８０，４８０Ａ，５１０，５１０Ａ  接続回路
４９０，５００  容量性インピーダンス素子
【図１】
0006561321.tif 000002
【図２】
0006561321.tif 000003
【図３】
0006561321.tif 000004
【図４】
0006561321.tif 000005
【図５Ａ】
0006561321.tif 000006
【図５Ｂ】
0006561321.tif 000007
【図５Ｃ】
0006561321.tif 000008
【図５Ｄ】
0006561321.tif 000009
【図５Ｅ】
0006561321.tif 000010
【図５Ｆ】
0006561321.tif 000011
【図６】
0006561321.tif 000012
【図７】
0006561321.tif 000013
【図８】
0006561321.tif 000014
【図９】
0006561321.tif 000015
【図１０】
0006561321.tif 000016
【図１１】
0006561321.tif 000017
【図１２】
0006561321.tif 000018
【図１３】
0006561321.tif 000019
【図１４】
0006561321.tif 000020
【図１５】
0006561321.tif 000021
【図１６】
0006561321.tif 000022
【図１７Ａ】
0006561321.tif 000023
【図１７Ｂ】
0006561321.tif 000024
【図１８】
0006561321.tif 000025
【図１９】
0006561321.tif 000026
【図２０】
0006561321.tif 000027